(57)【要約】【課題】描画エリアと操作エリアが設定されたディスプレイを備え、描画ペンによって該ディスプレイ上で描画及び操作指示入力が行われるディスプレイ一体型座標入力装置において、描画エリアでの描画中に、描画ペンが不意に操作エリアに侵入した場合に、意図しないスイッチ操作が行われてしまう。【解決手段】描画ペンによる入力座標が操作エリア上のスイッチを示す場合に、該入力座標が描画エリアにおける描画処理から連続して入力された座標であるか否かを判定し、連続していればスイッチ操作を無効とする。また、描画エリア上で操作エリアに近接した領域を近接エリアとして設定し、入力座標が近接エリアにおける描画処理から連続していれば、スイッチ操作の検知を所定時間遅延させる。【選択図】    図５
2005011233.tif 000002
【特許請求の範囲】
【請求項１】
描画エリアと操作エリアが設定されたディスプレイを備え、同一の座標入力手段によって該ディスプレイ上で描画及び操作指示入力が行われるディスプレイ一体型座標入力装置における座標入力制御方法であって、
前記座標入力手段による入力座標が前記操作エリア上に設定されたスイッチに対する操作指示を示すか否かを判定する操作スイッチ判定工程と、
前記入力座標が前記スイッチに対する操作指示を示すと判定された場合に、該入力座標が前記描画エリアにおける描画処理から連続して入力された座標であるか否かを判定する連続性判定工程と、
前記入力座標が描画処理から連続していると判定された場合に、前記スイッチに対応する操作を無効とするスイッチ無効工程とを有することを特徴とする座標入力制御方法。
【請求項２】
前記連続性判定工程においては、前記入力座標の直前に入力された所定数の座標に基づいて、描画処理からの連続性を判定することを特徴とする請求項１記載の座標入力制御方法。
【請求項３】
さらに、前記連続性判定工程において前記入力座標が描画処理から連続していないと判定された場合に、前記スイッチに対応する操作を実行するスイッチ検知工程を有することを特徴とする請求項２記載の座標入力制御方法。
【請求項４】
前記ディスプレイにおいて、前記描画エリア上の前記操作エリアに近接した領域を近接エリアとして設定し、
前記連続性判定工程においては、前記入力座標が前記近接エリアにおける描画処理から連続して入力された座標であるか否かを判定し、
前記入力座標が前記近接エリアにおける描画処理から連続していると判定された場合に、前記スイッチに対応する操作の検知を所定時間遅延させる遅延工程を有することを特徴とする請求項３記載の座標入力制御方法。
【請求項５】
前記遅延工程において所定時間が遅延された後、前記入力座標が前記スイッチに対する操作指示を示していれば、前記スイッチに対する操作を実行することを特徴とする請求項４記載の座標入力制御方法。
【請求項６】
前記スイッチ検知工程においては、前記入力座標が特定パターンを示す場合に、前記スイッチに対応する操作を実行することを特徴とする請求項５記載の座標入力制御方法。
【請求項７】
前記特定パターンは、特定形状のパターンであることを特徴とする請求項６記載の座標入力制御方法。
【請求項８】
前記特定パターンは、前記操作エリアから前記描画エリアへのベクトル情報であることを特徴とする請求項６記載の座標入力制御方法。
【請求項９】
前記特定パターンは、前記描画エリアから前記操作エリアへのベクトル情報とは異なるベクトル情報であることを特徴とする請求項６記載の座標入力制御方法。
【請求項１０】
前記描画エリアと前記操作エリアは、前記ディスプレイのほぼ同一平面上に設定されることを特徴とする請求項１乃至９のいずれかに記載の座標入力制御方法。
【請求項１１】
前記座標入力手段は、前記描画エリアと前記操作エリアの面上にほぼ平行に光線を照射し、その描画手段に対する反射光によって座標を検知することを特徴とする請求項１乃至１０のいずれかに記載の座標入力制御方法。
【請求項１２】
描画エリアと操作エリアが設定されたディスプレイを備え、同一の座標入力手段によって該ディスプレイ上で描画及び操作指示入力が行われるディスプレイ一体型座標入力装置であって、
前記座標入力手段による入力座標が前記操作エリア上に設定されたスイッチに対する操作指示を示すか否かを判定し、
前記入力座標が前記スイッチに対する操作指示を示すと判定された場合に、該入力座標が前記描画エリアにおける描画処理から連続して入力された座標であるか否かを判定し、
前記入力座標が描画処理から連続していると判定された場合に、前記スイッチに対応する操作を無効とすることを特徴とするディスプレイ一体型座標入力装置。
【請求項１３】
前記ディスプレイにおいて、前記描画エリア上の前記操作エリアに近接した領域を近接エリアとして設定し、
前記入力座標が前記近接エリアにおける描画処理から連続して入力された座標であるか否かを判定し、
前記入力座標が前記近接エリアにおける描画処理から連続していると判定された場合に、前記スイッチに対応する操作の検知を所定時間遅延させることを特徴とする請求項１２記載のディスプレイ一体型座標入力装置。
【請求項１４】
さらに、前記入力座標が特定パターンを示す場合に、前記スイッチに対応する操作を実行することを特徴とする請求項１３記載のディスプレイ一体型座標入力装置。
【請求項１５】
描画エリアと操作エリアが設定されたディスプレイを備え、同一の座標入力手段によって該ディスプレイ上で描画及び操作指示入力が行われるディスプレイ一体型座標入力装置を制御するための制御プログラムであって、
コンピュータに読み込まれて実行されることによって、前記ディスプレイ一体型座標入力装置に対して請求項１乃至１１のいずれかに記載の座標入力制御方法を実現することを特徴とする制御プログラム。
【請求項１６】
請求項１５記載のプログラムを記録したことを特徴とする記録媒体。
【発明の詳細な説明】
【０００１】
【発明の属する技術分野】
本発明は、描画エリアと操作エリアが設定されたディスプレイを備え、同一の座標入力手段によって該ディスプレイ上で描画及び操作指示入力が行われるディスプレイ一体型座標入力装置における座標入力制御に関する。
【０００２】
【従来の技術】
従来より、ディスプレイ部と、該ディスプレイ部の画面上に描画エリアと、該描画エリア横に操作スイッチとして機能する操作検出エリア（以下、操作エリア）を有するような座標入力機構（デジタイザ）を備えた、ディスプレイ一体型描画像入力装置が知られている。
【０００３】
このような装置において、画面横に具備された操作エリアが、複数の操作スイッチエリアで構成され、デジタイザと同一の操作入力手段にて実現された場合、例えば各々の機能に対応したタクトスイッチやコネクタ等の電子部品をプリント基板に複数実装して、接続コードにて筐体内部を配線するというような大きなコストを省くことができるため、操作スイッチを構成するコストが抑制できるという利点がある。
【０００４】
【発明が解決しようとする課題】
しかしながら、上述したようにディスプレイ部の画面上で隣接した位置に描画エリアと操作エリアを備えていると、ユーザの指あるいは描画ペン等の描画手段により描画を行う際に、勢い余って描画手段が描画エリアから操作エリアにはみ出してしまうと、スイッチ操作指示があったと判断され、結果的にスイッチの誤操作が生じてしまう。
【０００５】
また、上記従来のディスプレイ一体型描画像入力装置においては、デジタイザの座標入力手段が、赤外光をディスプレイ部の描画エリア面上と操作エリア面上とにほぼ平行に照射し、ユーザの指あるいは描画ペン等の描画手段に対する反射によって座標を検知する方式であることが多い。このような方式においては、描画手段が描画エリア面及び操作エリア面より一旦接触を絶ち、再び意図する操作を実施した場合に、赤外光による座標検知ゾーンが描画エリア面及び操作エリア面よりも離れた位置の比較的幅を持つ領域に及ぶため、描画手段が描画エリア面及び操作エリア面から離脱した旨を検知できず、意図する描画及び操作が行えない、という状態が発生してしまう。
【０００６】
本発明は上述した問題を解決するためになされたものであり、ディスプレイ一体型描画像入力装置において、ユーザの意図する描画及び操作を可能とし、操作性を高めることを目的とする。
【０００７】
【課題を解決するための手段】
上記目的を達成するための一手法として、本発明の座標入力制御方法は以下の工程を備える。
【０００８】
すなわち、描画エリアと操作エリアが設定されたディスプレイを備え、同一の座標入力手段によって該ディスプレイ上で描画及び操作指示入力が行われるディスプレイ一体型座標入力装置における座標入力制御方法であって、前記座標入力手段による入力座標が前記操作エリア上に設定されたスイッチに対する操作指示を示すか否かを判定する操作スイッチ判定工程と、前記入力座標が前記スイッチに対する操作指示を示すと判定された場合に、該入力座標が前記描画エリアにおける描画処理から連続して入力された座標であるか否かを判定する連続性判定工程と、前記入力座標が描画処理から連続していると判定された場合に、前記スイッチに対応する操作を無効とするスイッチ無効工程と、を有することを特徴とする。
【０００９】
【発明の実施の形態】
本発明は、描画エリアと操作エリアが設定されたディスプレイを備え、同一の座標入力手段によって該ディスプレイ上で描画及び操作指示入力が行われるディスプレイ一体型座標入力装置において、座標入力手段による入力座標が前記操作エリア上に設定されたスイッチに対する操作指示を示すか否かを判定し、示すと判定された場合に、該入力座標が描画エリアにおける描画処理から連続して入力された座標であるか否かを判定し、連続していると判定された場合に、スイッチに対応する操作を無効とするものであり、入力座標の直前に入力された所定数の座標に基づいて、描画処理からの連続性を判定する。さらに、入力座標が描画処理から連続していないと判定された場合には、スイッチに対応する操作を実行する。
【００１０】
なお、描画エリアと操作エリアは、ディスプレイのほぼ同一平面上に設定されており、座標入力手段は、描画エリアと操作エリアの面上にほぼ平行に光線を照射し、その描画手段に対する反射光によって座標を検知する。
【００１１】
このような本発明は、具体的に願書に添付する図面に示す構成及び処理において、以下の実施形態と対応して実現できる。
【００１２】
以下、本発明に係る一実施形態について、図面を参照して詳細に説明する。
【００１３】
＜第１実施形態＞
図１は、本実施形態におけるディスプレイ一体型描画像入力装置の構成を示すブロック図であり、１はディスプレイ、２はディスプレイ１の表示画面でもあり、また描画エリアでもあるスクリーン部、３は操作スイッチパネルとしての操作エリア、４は描画を行う描画ペン、５は受光センサ部である。
【００１４】
６は受光センサ部５からの信号を検出する信号検出回路部、７はマイクロコンピュータ（以下マイコン）、８はＲＯＭ、９はＲＡＭ、１１は軌跡グラフィックス発生部、１２はディスプレイ制御インタフェース、１３は通信インタフェース、１４は画像合成回路部、１５はディスプレイ駆動回路部、１６はディスプレイシステム制御回路である。また、１００はパーソナルコンピュータ（以下ＰＣ）、１０１はＰＣ１００に接続される記憶装置（以下ＨＤＤ）である。
【００１５】
また、受光センサ部５において、５０はラインセンサ１、５１はラインセンサ２、５２は結像シリンドリカルレンズ、５３は赤外光源である。
【００１６】
図１に示す構成において、ディスプレイ１はＰＣ１００より出力される画像信号を、画像合成回路１４及びディスプレイ駆動回路１５を介してスクリーン部２に表示する。
【００１７】
本実施形態においては、ディスプレイ１上のスクリーン部２の横に操作スイッチパネルとしての操作エリア３が設けられており、操作エリア３は、Ｓ１〜Ｓ５の５つのスイッチ用エリアに分割され、単なる印刷等の例えばＳ１〜Ｓ５の表示がなされているだけで、スクリーン部２の表面とほぼ同一の面を保つ平面構成となっている。
【００１８】
受光センサ部５は、ディスプレイ１上のスクリーン部２上端の左右両角に配置されており、２つの赤外光源５３は左右それぞれ、スクリーン部２の面上に対して扇状かつ平行に沿うように、赤外光を照射する。
【００１９】
照射された赤外光は、スクリーン部２上に描画ペン４が存在する場合に反射される。なお、本実施形態における描画ペン４としては、ユーザの指を含む。描画ペン４の反射赤外光は、各受光センサ部５が備えるラインセンサ５０，５１の受光面上にそれぞれの結像シリンドリカルレンズ５２を介して結像される。
【００２０】
ラインセンサ５０，５１は、結像された描画ペン４の像を一次元撮像し、それぞれの信号検出器６にて波形処理された後、位置データと振幅データとで構成される成型データＬＤ１，ＬＤ２としてマイコン７に入力される。マイコン７では、入力された成型データＬＤ１，ＬＤ２をＲＡＭ９に保存し、該成型データＬＤ１，ＬＤ２の位置データに基づいて座標特定演算を行って「描画ペン位置座標時間１」を生成し、これをＲＡＭ９に格納する。すると軌跡グラフィックス発生部１１は、ＲＡＭ９に格納された「描画ペン位置座標時間１」データを参照して、当該座標に対する軌跡のグラフィックスを発生させる。
【００２１】
時間とともに描画ペン４は移動し、マイコン７において逐次、「描画ペン位置座標時間２」，「描画ペン位置座標時間３」，・・・「描画ペン位置座標時間ｎ」なるデータが生成され、ＲＡＭ９に保存される。
【００２２】
ここで図２に、ＲＡＭ９のメモリ構成例を示す。同図によればＲＡＭ９には、ＣＰＵによって利用されるプログラム実行エリアの他に、ラインセンサ５０，５１による出力データ（上記ＬＤ１，ＬＤ２）、及びそれらに基づいて算出された座標時間データが保存されている。
【００２３】
そして軌跡グラフィックス発生部１１では、各「描画ペン位置座標時間」の座標データに対応したグラフィックスを出力し、画像合成回路１４において、ＰＣ１００より出力されているＰＣ画像信号と合成され、ディスプレイ駆動回路１５を介して、スクリーン部２に連続した軌跡が表示される。
【００２４】
一方、ディスプレイ１の動作モードを設定操作するために、描画ペン４によって操作エリア３の例えばＳ２を指示した場合、マイコン７からの座標検知データと、ＲＯＭ８に格納されている操作スイッチエリアデータとの座標一致判定を行う。ここで図３に、ＲＯＭ８のメモリ構成例を示す。すなわちＲＯＭ８には、ＣＰＵによって実行されるプログラムの他に、操作エリア３における各スイッチ（Ｓ１〜Ｓ５）を示す座標データと、操作スイッチの近接エリアを示す座標データ、及びスクリーン部２の座標データが予め格納されている。
【００２５】
図４に、スイッチ座標検出処理のフローチャートを示す。
【００２６】
描画ペン４によって操作エリア３内のいずれかのスイッチ（ＳＷ）が指示された場合、まず、座標検知データがＲＯＭ８内のいずれの操作スイッチのエリアデータに含まれているかを調べることによって（Ｓ６０１〜Ｓ６０５）、指示されたスイッチが検知される（Ｓ６０６〜Ｓ６１０）。そしてマイコン７は、検知されたスイッチが対応する動作モードを、ディスプレイ制御インタフェース１２を介してディスプレイシステム制御回路１６に出力し、スクリーン部２の機能制御を行うことができる。すなわち、ユーザが意図して描画ペン４により指示した制御が行われる。
【００２７】
ここで、描画ペン４にてスクリーン部２を描画中に、意図せずに、座標ペン４が操作エリア３のＳ１〜Ｓ５に侵入してしまった場合について考える。本実施形態ではこのような場合に、以下のような制御を行う。すなわちマイコン７において、座標ペン４の操作エリア３への侵入が検知されると、該座標データの例えば５サンプル前の描画ペン４の座標位置を参照し、スクリーン部２からの連続座標であるか否かを判定する。連続性がある場合には、操作エリア３への意図しない侵入であると判断し、該当するスイッチに対応する操作モードとしての処理を拒絶する。
【００２８】
ここで、本実施形態におけるスイッチ操作判定処理について、図５のフローチャートを参照して説明する。
【００２９】
描画ペン４によって指示された座標が、表示エリア（スクリーン部２）内あれば上述した描画処理を行うが（Ｓ５０１，Ｓ５０２）、スクリーン部２内にない場合には操作エリア３内にあるか否かを判定し（Ｓ５０３）、操作エリア３内にあれば、直前に検出されている所定のサンプル数分の座標データを参照して、操作エリア３にある現座標が、直前のサンプル座標からの連続座標であるとみなされるか否かを判断する（Ｓ５０４）。ここで連続座標ではないと判断された場合には、操作スイッチモードに移行し、描画ペン４が操作エリア３内のいずれのスイッチを示すかを上述した方法によって検知する（Ｓ５０５）。
【００３０】
一方、連続座標である、すなわち描画ペン４の移動が表示エリアに対する描画処理から連続していると判断された場合は、ステップＳ５０５のスイッチ検知処理を行わずに、ステップＳ５０１に戻る。
【００３１】
最後に、描画またはスイッチ操作の終了か否かを判定し（Ｓ５０６）、終了であれば処理を終え、未了であれば処理をステップＳ５０１へ戻る。
【００３２】
以上説明したように本実施形態によれば、スクリーン部２への描画中に操作エリア３への描画ペン４の意図しない侵入が発生しても、誤って操作スイッチモードに移行することが回避できるため、操作性が向上する。
【００３３】
＜第２実施形態＞
以下、本発明に係る第２実施形態について説明する。
【００３４】
上述した第１実施形態においては、描画中に一旦描画ペン４をスクリーン部２の面から離して操作エリア３の操作を実施する場合に、描画ペン４が赤外検知ゾーンより十分に引き離されず、図６の（Ａ）に示すような「中途半端な引き離し」状態となった場合、連続した描画として認識されてしまう。これは、描画ペン４が確実にパネル上に接触しなくても、検知光に反応しさえすれば検知されてしまうためである。第１実施形態ではこのような場合、操作エリア３の操作検出禁止処理が機能して、描画エリア（スクリーン部２）での描画から、操作エリア３のスイッチ操作への移行が禁止され、結果としてユーザの意図するスイッチ操作が検出されなくなってしまうという問題が生じる。
【００３５】
そこで第２実施形態では、上述したようなスイッチ操作の非検出問題を解決し、より適正なスイッチ操作の検出を行うことを目的とする。
【００３６】
図７は、第２実施例におけるディスプレイ一体型描画像入力装置の構成を示すブロック図であり、上述した第１実施形態で示した図１と同様の構成には同一番号を付し、説明を省略する。第２実施形態においては、スクリーン部２上の操作エリア３に隣接した位置に、操作エリア接近ゾーン２００を設けている。操作エリア接近ゾーン２００の位置を示す座標データは、図３に示す様に予めＲＯＭ８に格納されている。
【００３７】
第２実施形態においては、描画ペン４が操作エリア近接ゾーン２００内を描画中であれば、操作エリア３における操作スイッチの操作検出を所定時間Ｔだけ停止させることを特徴とする。以下、第２実施形態における操作判定処理について、図８のフローチャートを参照して説明する。なお、この処理はＣＰＵ７がＲＯＭ８に格納された実行プログラムを、ＲＡＭ９のプログラム実行エリアに読み出すことによって実行される。
【００３８】
まず、描画ペン４によって指示された座標データが、操作エリア近接ゾーン２００内にあるか否かを確認する（Ｓ７０１，Ｓ７０２）。具体的には、ＣＰＵ７の演算にて生成される描画座標データを、ＲＯＭ８に格納されている操作スイッチ近接エリアデータと比較することによって確認する。そして、操作エリア近接ゾーン２００内にあると判定されれば近接フラグを１に（Ｓ７０３）、そうでなければ近接フラグを０にセットした後（Ｓ７０４）、スクリーン部２に対する描画処理を行う（Ｓ７０５）。
【００３９】
以上の処理を繰返し、描画ペン４が表示エリア（スクリーン部２）からはずれて操作エリア３内にある場合（Ｓ７０６）には、直前に検出されている所定のサンプル数分の座標データを参照して、現座標が直前のサンプル座標からの連続座標であるとみなされるか否かを判断する（Ｓ７０７）。直前座標である、すなわち描画ペン４の移動がスクリーン部２に対する描画処理から連続していると判断された場合には、近接フラグが０であれば（Ｓ７０８）、操作エリア３内のいずれのスイッチを示すかを第１実施形態と同様の方法によって検知する（Ｓ７１１）。
【００４０】
一方、近接フラグが１であれば（Ｓ７０８）、操作エリア３における検出結果を所定時間Ｔ分は出力しないように遅延制御し（Ｓ７０９）、該Ｔ時間の経過後に近接フラグを０にリセットした後（Ｓ７１０）、ステップＳ７０１に戻って再度描画ペン４の座標を確認する。このとき、依然として操作エリア３内の座標指示があれば（Ｓ７０６）、操作エリア３におけるスイッチ検出処理を行う（Ｓ７１１）。
【００４１】
最後に、描画またはスイッチ操作の終了か否かを判定し（Ｓ７１２）、終了であれば処理を終え、未了であれば処理をステップＳ７０１へ戻る。
【００４２】
このように第２実施形態は、ディスプレイにおいて描画エリア上の操作エリアに近接した領域を近接エリアとして設定し、入力座標が近接エリアにおける描画処理から連続して入力された座標であれば、スイッチに対応する操作の検知を所定時間遅延させる。この遅延後、依然として入力座標がスイッチに対する操作指示を示していれば、スイッチ操作を実行するものである。
【００４３】
以上説明したように第２実施形態においては、操作エリア近接ゾーン検知処理によって、描画ペン３が操作エリア近接ゾーン２００から操作エリア３に移動した時からＴ時間後に、依然同一エリアの座標指示があればこれを検知し、該操作スイッチの対応する機能を実行する。すなわち、描画ペン３が操作エリア近接ゾーン２００から操作エリア３に移動した際には、描画ペン４による操作エリア３の指示がＴ時間以上連続していれば、ユーザは明らかにスイッチの指定を意図していると判定され、スイッチ操作が検出される。
【００４４】
＜第３実施形態＞
以下、本発明に係る第３実施形態について説明する。
【００４５】
第３実施形態におけるディスプレイ一体型描画像入力装置の構成は、第２実施形態で示した図７と同様であるため、説明を省略する。また、第３実施形態における操作判定処理を図９のフローチャートに示すが、第２実施形態で示した図８のフローチャートと同様の処理には同一ステップ番号を付す。
【００４６】
第３実施形態の操作判定処理としては、図９のステップＳ８０１に示すパターン検知処理を行うことを特徴とする。すなわち第３実施形態においては、第２実施形態と同様にスイッチ操作検知をＴ時間だけ待機するが、さらに、描画ペン４が操作エリア３上にて特定パターンの描画を行った場合に限り、スイッチ操作を検出することを特徴とする。なお、特定パターンの描画データは、予めＲＯＭ８に格納されている。
【００４７】
特定パターンとしては例えば、描画ペン４が操作スイッチを指示する際の特定形状として、連続した丸印や四角印、三角印などの所定形状をＲＯＭ８に記憶しておくことが考えられる。この場合、操作エリア３上で描画された形状が該特定パターンであると認識された場合のみ、スイッチ操作を判定する。
【００４８】
また、スクリーン部２への描画中に操作エリア３への描画ペン４の意図しない侵入が発生した場合には、描画ペン４はスクリーン部２から操作エリア３の方向の座標ベクトルを持つため、ＲＯＭ８には該方向のベクトル情報を予め保持しておき、描画ペンの移動がこのベクトルに合致していれば、これを認識しないように制御することも有効である。
【００４９】
また、描画ペン４が、操作エリア３からスクリーン部２の方向の座標ベクトルを呈した場合に、スイッチ操作を実行すべきと判断することもできる。
【００５０】
このように第３実施形態では、入力座標が特定パターンを示す場合のみ、スイッチ操作を実行する。この特定パターンとしては、特定形状のパターンや、操作エリアから描画エリアへのベクトル情報、または、描画エリアから操作エリアへのベクトル情報とは異なるベクトル情報等が考えられる。
【００５１】
以上説明したように第３実施形態によれば、描画ペン４によって操作エリア３上に特定のパターンを描画することにより、ユーザによるスイッチ指定をより確実に認識することが可能となり、操作スイッチの判定をより適切に行うことができる。
【００５２】
＜他の実施形態＞
なお、本発明は、例えばシステム、装置、方法、プログラムもしくは記憶媒体等としての実施態様をとることが可能であり、具体的には、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【００５３】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００５４】
この場合、記憶媒体から読み出されたプログラムコード自体が前述した実施形態の機能を実現することになり、そのプログラムコードを記憶した記憶媒体は本発明を構成することになる。
【００５５】
プログラムコードを供給するための記憶媒体としては、例えば、フロッピーディスク（登録商標）、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【００５６】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５８】
【発明の効果】
以上説明したように本発明によれば、ディスプレイ一体型描画像入力装置において、ユーザの意図する描画及び操作を可能とし、操作性を高めることができる。
【図面の簡単な説明】
【図１】本発明に係る一実施形態におけるディスプレイ一体型描画像入力装置の構成を示すブロック図である。
【図２】本実施形態におけるＲＡＭのデータ構成を示す図である。
【図３】本実施形態におけるＲＯＭのデータ構成を示す図である。
【図４】本実施形態におけるスイッチ座標検知処理を示すフローチャートである。
【図５】本実施形態におけるスイッチ操作判定処理を示すフローチャートである。
【図６】第２実施形態において操作ペンの引き離し状態を説明するためのディスプレイ部の側面図である。
【図７】第２実施形態におけるディスプレイ一体型描画像入力装置の構成を示すブロック図である。
【図８】第２実施形態におけるスイッチ操作判定処理を示すフローチャートである。
【図９】第３実施形態におけるスイッチ操作判定処理を示すフローチャートである。
【符号の説明】
１  ディスプレイ
２  スクリーン部
３  操作エリア
４  描画ペン
５  受光センサ
６  信号検出回路部
７  マイクロコンピュータ
８  ＲＯＭ
９  ＲＡＭ
１１  軌跡グラフィックス発生部
１２  ディスプレイ制御インタフェース
１３  通信インターフェース
１４  画像合成回路
１５  ディスプレイ駆動回路
１６  ディスプレイシステム制御回路
１００  パーソナルコンピュータ
１０１  記憶装置
５０，５１  ラインセンサ１，２
５２  結像シリンドリカルレンズ
５３  赤外光源
【図１】
2005011233.tif 000003
【図２】
2005011233.tif 000004
【図３】
2005011233.tif 000005
【図４】
2005011233.tif 000006
【図５】
2005011233.tif 000007
【図６】
2005011233.tif 000008
【図７】
2005011233.tif 000009
【図８】
2005011233.tif 000010
【図９】
2005011233.tif 000011
【手続補正書】
【提出日】平成15年10月2日(2003.10.2)
【手続補正１】
【補正対象書類名】図面
【補正対象項目名】図５
【補正方法】変更
【補正の内容】
【図５】
2005011233.tif 000012